(57)【要約】      （修正有）【課題】外光反射が抑制され、屋外視認性が良く、かつ視差混色の悪化を抑制できる液晶表示装置を提供する。【解決手段】液晶パネルと、液晶パネルの観察面側に設けられた円偏光板１０とを備えた液晶表示装置であって、円偏光板は、観察面側から順に、直線偏光板１１及びアウトセル位相差板１２を備え、液晶パネルは、薄膜トランジスタ基板２０と、薄膜トランジスタ基板に対向し、かつ、ブラックマトリックス４３を有するカラーフィルタ基板４０と、薄膜トランジスタ基板及びカラーフィルタ基板の間に設けられた水平配向液晶層３０と、薄膜トランジスタ基板及びカラーフィルタ基板のうち、観察面側に配置された基板に設けられたインセル位相差板６０とを備え、インセル位相差板は、ブラックマトリックス及び水平配向液晶層の間の領域の外側に設けられる液晶表示装置である。【選択図】図１
2020085931.tif 000002
【特許請求の範囲】
【請求項１】
液晶パネルと、前記液晶パネルの観察面側に設けられた円偏光板とを備えた液晶表示装置であって、
前記円偏光板は、観察面側から順に、直線偏光板及びアウトセル位相差板を備え、
前記液晶パネルは、薄膜トランジスタ基板と、
前記薄膜トランジスタ基板に対向し、かつ、ブラックマトリックスを有するカラーフィルタ基板と、
前記薄膜トランジスタ基板及び前記カラーフィルタ基板の間に設けられた水平配向液晶層と、
前記薄膜トランジスタ基板及び前記カラーフィルタ基板のうち、観察面側に配置された基板に設けられたインセル位相差板とを備え、
前記インセル位相差板は、前記ブラックマトリックス及び前記水平配向液晶層の間の領域の外側に設けられる
ことを特徴とする液晶表示装置。
【請求項２】
前記インセル位相差板は、前記薄膜トランジスタ基板に設けられ、
前記液晶パネルは、観察面側から順に、前記インセル位相差板を有する前記薄膜トランジスタ基板、前記水平配向液晶層、及び、前記ブラックマトリックスを有する前記カラーフィルタ基板を備える
ことを特徴とする請求項１記載の液晶表示装置。
【請求項３】
前記薄膜トランジスタ基板は、薄膜トランジスタと、前記薄膜トランジスタに接続された画素電極と、前記画素電極に対向する共通電極とを備え、
前記画素電極及び前記共通電極は、前記インセル位相差板の背面側に設けられる
ことを特徴とする請求項２記載の液晶表示装置。
【請求項４】
前記薄膜トランジスタ基板は、金属配線を含む配線層と、前記金属配線に接続された薄膜トランジスタとを備え、
前記配線層は、前記インセル位相差板の観察面側に設けられる
ことを特徴とする請求項２又は３記載の液晶表示装置。
【請求項５】
前記インセル位相差板は、前記カラーフィルタ基板に設けられ、
前記液晶パネルは、観察面側から順に、前記インセル位相差板、前記ブラックマトリックス、前記水平配向液晶層、及び、前記薄膜トランジスタ基板を備える
ことを特徴とする請求項１記載の液晶表示装置。
【発明の詳細な説明】
【技術分野】
【０００１】
本発明は、液晶表示装置に関する。
【背景技術】
【０００２】
液晶表示装置は、表示のために液晶組成物を利用する表示装置であり、その代表的な表示方式は、一対の基板間に液晶組成物を封入した液晶パネルに対してバックライトから光を照射し、液晶組成物に電圧を印加して液晶分子の配向を変化させることにより、液晶パネルを透過する光の量を制御するものである。このような液晶表示装置は、薄型、軽量及び低消費電力といった特長を有することから、スマートフォン、タブレットＰＣ、カーナビゲーション等の電子機器に利用されており、近年、液晶表示装置にタッチパネルを設けることが一般的に行われるようになってきている。
【０００３】
液晶パネルの表面に円偏光板を設けることで、周囲の光（外光）の反射を抑制し、液晶表示装置の屋外視認性（明所視認性）を向上できることが知られている。
【０００４】
例えば、特許文献１には、ＦＦＳ（Ｆｒｉｎｇｅ  Ｆｉｅｌｄ  Ｓｗｉｔｃｈｉｎｇ）モード、ＩＰＳ（Ｉｎ  Ｐｌａｎｅ  Ｓｗｉｔｃｈｉｎｇ）モード等の液晶駆動モードの液晶表示装置において、液晶パネルの観察面側に直線偏光板及び１／４波長板が組み合わされた円偏光板を設けるとともに、液晶パネルの観察面側に配置されたカラーフィルタ基板のカラーフィルタの液晶層側に１／４波長板を設けることで、液晶表示装置を正常に駆動しつつ、外光の反射を抑制するという技術が記載されている。
【先行技術文献】
【特許文献】
【０００５】
【特許文献１】国際公開第２０１７／０１７９６０号
【発明の概要】
【発明が解決しようとする課題】
【０００６】
本発明者らは、屋外視認性を良くする（外光反射を抑制する）ため、円偏光板をパネル最表面に採用したＦＦＳモードの液晶表示装置（以下、低反射ＬＣＤとも言う。）を開発している。図２５は、円偏光板をパネル最表面に採用した比較形態に係るＦＦＳモードの液晶表示装置の断面模式図であり、画面全域が緑色で表示された状態（緑のサブ画素のみ電界ＯＮ、緑以外のサブ画素は電界ＯＦＦ）を示す。図２５に示したように、低反射ＬＣＤの課題として、カラーフィルタ基板４０の内側にλ／４位相差板としてインセル位相差板６０を設ける必要があることから、ブラックマトリックス４３と液晶層３０の距離が大きくなり、パネルを斜めから見た時の混色（以下、視差混色とも言う。）が悪化する課題があった。この原因は、低反射ＬＣＤにおいて、インセル位相差板６０をカラーフィルタ基板４０の液晶層３０側に設けることで、ブラックマトリックス４３と液晶層３０との間の距離が、円偏光板及びインセル位相差板を備えていない通常のＦＦＳモードの液晶表示装置（以下、通常ＬＣＤとも言う。）の場合よりも大きくなることによる。ブラックマトリックス４３と液晶層３０との間の距離が大きいほど、浅い角度で混色するため、低反射ＬＣＤは、インセル位相差板がない通常ＬＣＤよりもインセル位相差板６０の厚み分、浅い角度で混色しやすい。図２５中の矢印は、最も浅い入射角度で混色する光線を表しており、これらの光線は、電界ＯＮ領域と、緑色カラーフィルタ４２Ｇ以外の赤色カラーフィルタ４２Ｒ又は青色カラーフィルタ４２Ｂとを通過する。一点鎖線矢印が示す方向から観察すると、緑表示しているが青が混ざって表示されてしまい、二点鎖線矢印が示す方向から観察すると、緑表示しているが赤が混ざって表示されてしまう。
【０００７】
これに対して、特許文献１の構成は、比較形態１の構成と同様に、カラーフィルタ基板のカラーフィルタの液晶層側に１／４波長板が設けられているため、視差混色が悪化するという課題を有する。
【０００８】
本発明は、上記現状に鑑みてなされたものであり、外光反射が抑制され、屋外視認性が良く、かつ視差混色の悪化を抑制できる液晶表示装置を提供することを目的とするものである。
【課題を解決するための手段】
【０００９】
（１）本発明の一実施形態は、液晶パネルと、前記液晶パネルの観察面側に設けられた円偏光板とを備えた液晶表示装置であって、前記円偏光板は、観察面側から順に、直線偏光板及びアウトセル位相差板を備え、前記液晶パネルは、薄膜トランジスタ基板と、前記薄膜トランジスタ基板に対向し、かつ、ブラックマトリックスを有するカラーフィルタ基板と、前記薄膜トランジスタ基板及び前記カラーフィルタ基板の間に設けられた水平配向液晶層と、前記薄膜トランジスタ基板及び前記カラーフィルタ基板のうち、観察面側に配置された基板に設けられたインセル位相差板とを備え、前記インセル位相差板は、前記ブラックマトリックス及び前記水平配向液晶層の間の領域の外側に設けられる、液晶表示装置。
【００１０】
（２）また、本発明のある実施形態は、上記（１）の構成に加え、前記インセル位相差板は、前記薄膜トランジスタ基板に設けられ、前記液晶パネルは、観察面側から順に、前記インセル位相差板を有する前記薄膜トランジスタ基板、前記水平配向液晶層、及び、前記ブラックマトリックスを有する前記カラーフィルタ基板を備える、液晶表示装置。
【００１１】
（３）また、本発明のある実施形態は、上記（２）の構成に加え、前記薄膜トランジスタ基板は、薄膜トランジスタと、前記薄膜トランジスタに接続された画素電極と、前記画素電極に対向する共通電極とを備え、前記画素電極及び前記共通電極は、前記インセル位相差板の背面側に設けられる、液晶表示装置。
【００１２】
（４）また、本発明のある実施形態は、上記（２）又は上記（３）の構成に加え、前記薄膜トランジスタ基板は、金属配線を含む配線層と、前記金属配線に接続された薄膜トランジスタとを備え、前記配線層は、前記インセル位相差板の観察面側に設けられる、液晶表示装置。
【００１３】
（５）また、本発明のある実施形態は、上記（１）の構成に加え、前記インセル位相差板は、前記カラーフィルタ基板に設けられ、前記液晶パネルは、観察面側から順に、前記インセル位相差板、前記ブラックマトリックス、前記水平配向液晶層、及び、前記薄膜トランジスタ基板を備える、液晶表示装置。
【発明の効果】
【００１４】
本発明によれば、外光反射が抑制され、屋外視認性が良く、かつ視差混色の悪化を抑制できる液晶表示装置を提供することができる。
【図面の簡単な説明】
【００１５】
【図１】実施形態１の液晶表示装置の構成を示す断面模式図である。
【図２】実施形態１の液晶表示装置のカラーフィルタ基板を示す平面模式図である。
【図３】実施形態１の液晶表示装置のＴＦＴ基板を示す平面模式図である。
【図４】実施形態１の液晶表示装置のＴＦＴ基板を示す断面模式図であり、ＴＦＴ部分を示す。
【図５】実施形態１の液晶表示装置の別の構成を示す断面模式図である。
【図６】実施形態１の液晶表示装置の別のＴＦＴ基板を示す断面模式図であり、ＴＦＴ部分を示す。
【図７】計算に用いた実施例１の液晶表示装置の構成を示す断面図である。
【図８】実施例１において、青色、緑色、赤色の単色をそれぞれ表示した時の正面及び斜めからパネルを観察した際の色度（ｕ’，ｖ’）を計算した結果を示すグラフであり、インセル位相差板の厚さが３．０μｍの場合を示す。
【図９】実施例１において、青色、緑色、赤色の単色をそれぞれ表示した時の正面及び斜めからパネルを観察した際の色度（ｕ’，ｖ’）を計算した結果を示すグラフであり、インセル位相差板の厚さが２．０μｍの場合を示す。
【図１０】実施例１において、青色、緑色、赤色の単色をそれぞれ表示した時の正面及び斜めからパネルを観察した際の色度（ｕ’，ｖ’）を計算した結果を示すグラフであり、インセル位相差板の厚さが１．０μｍの場合を示す。
【図１１】実施形態２の液晶表示装置の構成を示す断面模式図である。
【図１２】実施形態２の液晶表示装置のＴＦＴ基板を示す断面模式図であり、ＴＦＴ部分を示す。
【図１３】計算に用いた実施例２の液晶表示装置の構成を示す断面図である。
【図１４】実施例２において、青色、緑色、赤色の単色をそれぞれ表示した時の正面及び斜めからパネルを観察した際の色度（ｕ’，ｖ’）を計算した結果を示すグラフであり、インセル位相差板の厚さが３．０μｍの場合を示す。
【図１５】実施例２において、青色、緑色、赤色の単色をそれぞれ表示した時の正面及び斜めからパネルを観察した際の色度（ｕ’，ｖ’）を計算した結果を示すグラフであり、インセル位相差板の厚さが２．０μｍの場合を示す。
【図１６】実施例２において、青色、緑色、赤色の単色をそれぞれ表示した時の正面及び斜めからパネルを観察した際の色度（ｕ’，ｖ’）を計算した結果を示すグラフであり、インセル位相差板の厚さが１．０μｍの場合を示す。
【図１７】比較形態１の液晶表示装置の構成を示す断面模式図である。
【図１８】計算に用いた比較例１の液晶表示装置の構成を示す断面図である。
【図１９】比較例１において、青色、緑色、赤色の単色をそれぞれ表示した時の正面及び斜めからパネルを観察した際の色度（ｕ’，ｖ’）を計算した結果を示すグラフである。
【図２０】比較形態２の液晶表示装置の構成を示す断面模式図である。
【図２１】計算に用いた比較例２の液晶表示装置の構成を示す断面図である。
【図２２】比較例２において、青色、緑色、赤色の単色をそれぞれ表示した時の正面及び斜めからパネルを観察した際の色度（ｕ’，ｖ’）を計算した結果を示すグラフであり、インセル位相差板の厚さが３．０μｍの場合を示す。
【図２３】比較例２において、青色、緑色、赤色の単色をそれぞれ表示した時の正面及び斜めからパネルを観察した際の色度（ｕ’，ｖ’）を計算した結果を示すグラフであり、インセル位相差板の厚さが２．０μｍの場合を示す。
【図２４】比較例２において、青色、緑色、赤色の単色をそれぞれ表示した時の正面及び斜めからパネルを観察した際の色度（ｕ’，ｖ’）を計算した結果を示すグラフであり、インセル位相差板の厚さが１．０μｍの場合を示す。
【図２５】円偏光板をパネル最表面に採用した比較形態に係るＦＦＳモードの液晶表示装置の断面模式図であり、画面全域が緑色で表示された状態（緑のサブ画素のみ電界ＯＮ、緑以外のサブ画素は電界ＯＦＦ）を示す。
【発明を実施するための形態】
【００１６】
［用語の定義］
本明細書中、「観察面側」とは、液晶表示装置の画面（表示面）に対してより近い側を意味し、「背面側」とは、液晶表示装置の画面（表示面）に対してより遠い側を意味する。
【００１７】
本明細書中、特に断りがなければ、「位相差」は、波長５５０ｎｍにおける面内位相差を意味している。
【００１８】
本明細書中、「λ／４位相差板」とは、少なくとも波長５５０ｎｍの光に対して１／４波長の面内位相差を付与する位相差板を意味し、１００ｎｍ以上、１７６ｎｍ以下の面内位相差を付与するものであればよい。ちなみに、波長５５０ｎｍの光は、人間の視感度が最も高い波長の光である。面内位相差は、Ｒ＝（ｎｓ−ｎｆ）×ｄで定義される。ここで、ｎｓは、位相差板の面内方向の主屈折率ｎｘ及びｎｙのうちの大きい方を表し、ｎｆは、位相差板の面内方向の主屈折率ｎｘ及びｎｙのうちの小さい方を表す。主屈折率は、特に断りのない限り、波長５５０ｎｍの光に対する値を指している。位相差板の遅相軸はｎｓに対応する方向の軸を指し、進相軸はｎｆに対応する方向の軸を指す。ｄは、位相差板の厚さを表す。
【００１９】
以下、本発明の実施形態について説明する。本発明は、以下の実施形態に記載された内容に限定されるものではなく、本発明の構成を充足する範囲内で、適宜設計変更を行うことが可能である。
【００２０】
図２５に示した比較形態に係る低反射ＬＣＤは、観察者側にカラーフィルタ基板４０を設け、バックライト８０側にＴＦＴ基板２０を設けているが、本発明の一実施形態では、観察者側にＴＦＴ基板２０を設け、バックライト８０側にカラーフィルタ基板４０を設け、その上で、インセル位相差板６０をＴＦＴ基板２０に設けることによって、視差混色の課題を原理的に改善することが可能となる。このように、液晶パネルの観察面側に円偏光板１０を備える液晶表示装置において、ブラックマトリックス４３及び液晶層３０の間の領域の外側にインセル位相差板６０をに配置することによって、インセル位相差板６０によってブラックマトリックス４３と液晶層３０との間の距離が大きくなることを防止できるため、通常ＬＣＤと同等の混色レベルにすることが可能となる。
【００２１】
＜実施形態１＞
図１は、実施形態１の液晶表示装置の構成を示す断面模式図である。図２は、実施形態１の液晶表示装置のカラーフィルタ基板を示す平面模式図である。図３は、実施形態１の液晶表示装置のＴＦＴ基板を示す平面模式図である。図４は、実施形態１の液晶表示装置のＴＦＴ基板を示す断面模式図であり、ＴＦＴ部分を示す。図１は、図３中のＸ１−Ｘ２線における断面に相当し、図４は、図３中のＹ１−Ｙ２線における断面に相当する。本実施形態の液晶表示装置は、円偏光板を有するＦＦＳモードの液晶表示装置（低反射ＬＣＤ）であり、図１に示したように、観察面側から順に、円偏光板１０、薄膜トランジスタ（以下、ＴＦＴ）基板２０、液晶層３０、カラーフィルタ基板４０及び直線偏光板５０を有する液晶パネルを備える。このように、本実施形態の液晶表示装置は、観察面側から、カラーフィルタ基板、液晶層及びＴＦＴ基板がこの順に配置された一般的な液晶表示装置と比較して、カラーフィルタ基板及びＴＦＴ基板の配置を入れ替えた構造を有している。
【００２２】
なお、カラーフィルタ基板４０、液晶層３０及びＴＦＴ基板２０の組み合わせを「液晶セル」ともいい、カラーフィルタ基板４０及びＴＦＴ基板２０の間の領域を「インセル」といい、液晶セルよりも観察面側の領域と液晶セルよりも背面側の領域を「アウトセル」という。
【００２３】
円偏光板１０は、直線偏光板１１とλ／４位相差板（アウトセル位相差板）１２とで構成されている。
【００２４】
直線偏光板１１は、例えば、ポリビニルアルコール（ＰＶＡ）フィルムにヨウ素錯体（又は染料）等の異方性材料を、染色及び吸着させてから延伸配向させた偏光子（吸収型偏光板）等を用いることができる。なお、通常は、機械強度や耐湿熱性を確保するために、ＰＶＡフィルムの両側にトリアセチルセルロース（ＴＡＣ）フィルム等の保護フィルムをラミネートして実用に供される。
【００２５】
アウトセル位相差板１２は、液晶セルに貼り付けて形成できることから、液晶表示装置の分野で一般的に用いられる延伸処理された高分子フィルムが好適に用いられる。高分子フィルムの材料としては、例えば、シクロオレフィンポリマー、ポリカーボネート、ポリサルフォン、ポリエーテルサルフォン、ポリエチレンテレフタレート、ポリエチレン、ポリビニルアルコール、ノルボルネン、トリアセチルセルロース、ジアセチルセルロース等が挙げられ、中でも、シクロオレフィンポリマーが特に好ましい。シクロオレフィンポリマーで形成された位相差層は、耐久性に優れ、高温環境や高温高湿環境に長期間曝したときの位相差の変化が小さいという利点がある。シクロオレフィンポリマーのフィルムとしては、日本ゼオン社製の「ゼオノアフィルム（登録商標）」、ＪＳＲ社製の「ＡＲＴＯＮ（登録商標）フィルム」等が知られている。
【００２６】
カラーフィルタ基板４０は、ガラス基板、プラスチック基板等の支持基板４１上に、カラーフィルタ層４２及びブラックマトリックス４３が設けられたものである。図２に示したように、カラーフィルタ層４２は、例えば、赤色カラーフィルタ４２Ｒ、緑色カラーフィルタ４２Ｇ及び青色カラーフィルタ４２Ｂが面内に並べられた構成を有する。赤色カラーフィルタ４２Ｒ、緑色カラーフィルタ４２Ｇ及び青色カラーフィルタ４２Ｂは、ブラックマトリックス４３で区画される。赤色カラーフィルタ４２Ｒ、緑色カラーフィルタ４２Ｇ及び青色カラーフィルタ４２Ｂと、ブラックマトリックス４３とは、例えば、顔料を含有する透明樹脂で構成される。通常、マトリクス状に配列されたすべての画素に赤色カラーフィルタ４２Ｒ、緑色カラーフィルタ４２Ｇ及び青色カラーフィルタ４２Ｂの組み合わせが配置され、赤色カラーフィルタ４２Ｒ、緑色カラーフィルタ４２Ｇ及び青色カラーフィルタ４２Ｂを透過する色光の量を制御しつつ混色させることで各画素において所望の色が得られる。各画素内において赤色カラーフィルタ４２Ｒ、緑色カラーフィルタ４２Ｇ及び青色カラーフィルタ４２Ｂがそれぞれ配置された領域、すなわちブラックマトリックス４３で区画された領域は、サブ画素ともいう。
【００２７】
図１に示したように、カラーフィルタ基板４０は、カラーフィルタ層４２の表面を覆うオーバーコート層４４を有していてもよい。オーバーコート層４４を設けることで、カラーフィルタ層４２中の不純物が他の層に溶出することを防止したり、カラーフィルタ層４２上の表面を平坦化することができる。オーバーコート層４４の材料としては、透明樹脂が好適である。
【００２８】
図３及び４に示したように、ＴＦＴ基板２０は、互いに平行に配置された複数のソース配線２２と、互いに平行に配置され、複数のソース配線２２と交差する複数のゲート配線２３と、各サブ画素に配置されたスイッチング素子としての複数のＴＦＴ２４と、各サブ画素に配置され、かつ、１又は複数のスリット２５ａが設けられた画素電極（信号電極）２５と、画素電極２５を対応するＴＦＴ２４のドレイン電極２４ｃに接続するためのコンタクトホール２７を除いて、表示領域の実質的に全ての領域に面状に配置された共通電極（対向電極）２６とを備える。各サブ画素は、互いに隣接する２本のソース配線２２と、互いに隣接する２本のゲート配線２３とに囲まれた領域に相当する。各ＴＦＴ２４は、対応するソース配線２２及びゲート配線２３に接続され、対応するゲート配線２３と接続されたゲート電極２４ａ、対応するソース配線２２と接続されたソース電極２４ｂ、対応する画素電極２５と接続されたドレイン電極２４ｃ、及び、薄膜半導体２４ｄを有する三端子スイッチである。画素電極２５は、薄膜半導体２４ｄを介してソース配線２２と接続されている。
【００２９】
また、ＴＦＴ基板２０は、支持基板２１上に、ゲート配線２３及びゲート電極２４ａを含むゲート層と、ゲート層を覆う層間絶縁膜（ゲート絶縁膜）２７ａと、層間絶縁膜２７ａ上の薄膜半導体２４ｄと、ソース配線２２、ソース電極２４ｂ及びドレイン電極２４ｃを含むソース層と、ソース層を覆う層間絶縁膜２７ｂ及びλ／４位相差板（インセル位相差板）６０と、インセル位相差板６０上の共通電極２６と、共通電極２６を覆う層間絶縁膜２７ｄと、層間絶縁膜２７ｄ上の画素電極２５とがこの順に積層された構造を有している。
【００３０】
ゲート層及びソース層の各配線層の材料としては、アルミニウム（Ａｌ）、銅（Ｃｕ）、チタン（Ｔｉ）等の金属が用いられており、これらの配線層に含まれるゲート配線２３、ソース配線２２といった配線は、金属から構成された金属配線である。なお、ここで、金属とは、合金であってもよい。本実施形態では、ゲート層及びソース層は、例えばチタン（Ｔｉ）及び銅（Ｃｕ）の積層膜により形成されている。
【００３１】
層間絶縁膜２７ａ、２７ｂ及び２７ｄの材料としては、例えば、窒化ケイ素（ＳｉＮｘ）や二酸化ケイ素（ＳｉＯ２）等の無機絶縁膜が挙げられるが、本実施形態では、層間絶縁膜２７ａ及び２７ｂの材料として二酸化ケイ素（ＳｉＯ２）を用い、層間絶縁膜２７ｄの材料としては窒化ケイ素（ＳｉＮｘ）を用いる。
【００３２】
薄膜半導体２４ｄは、例えば酸化物半導体膜であり、Ｉｎ、Ｇａ及びＺｎのうち少なくとも１種の金属元素を含んでもよい。本実施形態では、薄膜半導体２４ｄは、Ｉｎ−Ｇａ−Ｚｎ−Ｏ系の半導体を含む。ここで、Ｉｎ−Ｇａ−Ｚｎ−Ｏ系の半導体は、Ｉｎ（インジウム）、Ｇａ（ガリウム）、Ｚｎ（亜鉛）の三元系酸化物であって、Ｉｎ、Ｇａ及びＺｎの割合（組成比）は特に限定されず、例えばＩｎ：Ｇａ：Ｚｎ＝２：２：１、Ｉｎ：Ｇａ：Ｚｎ＝１：１：１、Ｉｎ：Ｇａ：Ｚｎ＝１：１：２等を含む。
【００３３】
画素電極２５及び共通電極２６の材料としては、例えば、酸化インジウム錫（ＩＴＯ）、酸化インジウム亜鉛（ＩＺＯ）、酸化インジウムガリウム亜鉛（Ｉｎ−Ｇａ−Ｚｎ−Ｏ）、酸化亜鉛（ＺｎＯ）、酸化スズ（ＳｎＯ）等の透明導電材料が挙げられる。
【００３４】
図５は、実施形態１の液晶表示装置の別の構成を示す断面模式図である。図６は、実施形態１の液晶表示装置の別のＴＦＴ基板を示す断面模式図であり、ＴＦＴ部分を示す。図５は、図３中のＸ１−Ｘ２線における断面に相当し、図６は、図３中のＹ１−Ｙ２線における断面に相当する。図５及び６に示したように、ＴＦＴ基板２０は、層間絶縁膜２７ｂを覆う層間絶縁膜２７ｃを更に備えていてもよく、インセル位相差板６０は、層間絶縁膜２７ｃを覆うように設けられてもよい。層間絶縁膜２７ｃは、平坦化膜として機能し、例えばポリメタクリル酸メチル樹脂（ＰＭＭＡ）等のアクリル系樹脂材料等の透明樹脂から形成される。
【００３５】
また、液晶パネルの帯電を防止するため、ＴＦＴ基板２０の観察面側の面上には面状の透明電極７０が設けられている。透明電極７０の材料としては、例えば、酸化インジウム錫（ＩＴＯ）、酸化インジウム亜鉛（ＩＺＯ）、酸化インジウムガリウム亜鉛（Ｉｎ−Ｇａ−Ｚｎ−Ｏ）、酸化亜鉛（ＺｎＯ）、酸化スズ（ＳｎＯ）等の透明導電材料が挙げられる。
【００３６】
インセル位相差板（インセル位相差層）６０は、少なくとも正面方向において、アウトセル位相差板１２の位相差をキャンセルし、実質的にアウトセル位相差板１２及びインセル位相差板６０が存在しない状態を実現するために、ＴＦＴ基板２０及びカラーフィルタ基板４０のうちの観察面側に配置された基板（本実施形態ではＴＦＴ基板２０）に設けられる。円偏光板１０とともにインセル位相差板６０を配置することによって、外光反射を抑制しながら、透過表示において通常ＬＣＤと同等の光学特性が得られる。
【００３７】
このような観点から、インセル位相差板６０の位相差は、アウトセル位相差板１２の位相差と実質的に等しいことが好ましい。より具体的には、両者の位相差の差は、５．０ｎｍ以下であることが好ましく、２．５ｎｍ以下であることがより好ましい。
【００３８】
インセル位相差板６０は、反応性液晶高分子（「リアクティブメソゲン」ともいう）の硬化物が好適に用いられる。反応性液晶高分子を用いれば、インセル位相差板６０をＴＦＴ基板２０又はカラーフィルタ基板４０の製造プロセス中に塗布形成できることから、液晶パネルを薄くできる。インセル位相差板６０の厚さは、例えば、１．０μｍ〜３．０μｍ（好ましくは２．０μｍ〜２．５μｍ）である。
【００３９】
反応性液晶高分子としては、光反応性基を有する液晶性ポリマーが好適に用いられる。光反応性基を有する液晶高分子としては、例えば、ビフェニル基、ターフェニル基、ナフタレン基、フェニルベンゾエート基、アゾベンゼン基、これらの誘導体などの置換基（メソゲン基）と、シンナモイル基、カルコン基、シンナミリデン基、β−（２−フェニル）アクリロイル基、桂皮酸基、これらの誘導体などの光反応性基を併せ有する構造の側鎖を有し、アクリレート、メタクリレート、マレイミド、Ｎ−フェニルマレイミド、シロキサンなどの構造を主鎖に有するポリマーを挙げることができる。かかるポリマーは、単一の繰り返し単位からなるホモポリマーであってもよく、側鎖の構造の異なる２以上の繰り返し単位からなるコポリマーであってもよい。かかるコポリマーとしては、交互型、ランダム型、クラフト型などのいずれをも含む。また、かかるコポリマーにおいては、少なくとも一の繰り返し単位に係る側鎖が、上記の如きメソゲン基と光反応性基を併せ有する構造の側鎖であり、他の繰り返し単位に係る側鎖が、かかるメソゲン基や光反応性基を有さないものであってよい。
【００４０】
反応性液晶高分子の塗布に用いられる溶媒としては、例えば、トルエン、エチルベンゼン、エチレングリコールモノメチルエーテル、エチレングリコールジメチルエーテル、プロピレングリコールメチルエーテル、ジブチルエーテル、アセトン、メチルエチルケトン、エタノール、プロパノール、シクロヘキサン、シクロペンタノン、メチルシクロヘキサン、テトラヒドロフラン、ジオキサン、シクロヘキサノン、ｎ−ヘキサン、酢酸エチル、酢酸ブチル、プロピレングリコールメチルエーテルアセテート、メトキシブチルアセテート、Ｎ−メチルピロリドン、ジメチルアセトアミドなどが挙げられる。これらは何れかを単独で用いることもでき、２種以上を併用することもできる。
【００４１】
反応性液晶高分子を用いた位相差層は、具体的には、次のような方法で形成できる。まず、ＴＦＴ基板２０又はカラーフィルタ基板４０上に下地配向膜を形成し、ラビング、光照射等の配向処理を行い、配向方位を定める。配向処理された下地配向膜上に、反応性液晶高分子を塗布し、焼成、光照射等の方法で硬化させる。硬化された反応性液晶高分子は、下地配向膜の配向方位に応じて配向し、位相差層として機能する。位相差層の位相差は、反応性液晶高分子の複屈折率Δｎと位相差層の厚さｄとの積により決まる。このように、インセル位相差板６０は、下地配向膜と、下地配向膜上に形成された反応性液晶高分子の硬化物の層との積層体であってもよい。また、ＴＦＴ基板２０又はカラーフィルタ基板４０上への位相差層の形成方法としては、ＰＥＴフィルム等の基材フィルム上に、配向処理された下地配向膜と、反応性液晶高分子の硬化物の層とをこの順に設けた転写フィルムを用い、ＴＦＴ基板２０又はカラーフィルタ基板４０上に反応性液晶高分子の硬化物の層を転写する方法を用いてもよい。なお、この場合、反応性液晶高分子の硬化物の層と下地配向膜との密着性よりも、下地配向膜と基材フィルムとの密着性を高くすることによって、反応性液晶高分子の硬化物の層のみをＴＦＴ基板２０又はカラーフィルタ基板４０上に転写してもよい。
【００４２】
液晶層３０は、水平配向液晶層であり、電圧無印加時に水平配向する液晶を含有する。液晶としては、ポジ型液晶又はネガ型液晶のいずれも用いることが可能である。液晶層３０を挟持する面には、液晶の配向を規制する水平配向膜３１ａ及び３１ｂが配置されている。水平配向膜３１ａ及び３１ｂの材料としては特に限定されず、例えば、分解型の光配向膜材料を使用することができる。各水平配向膜３１ａ、３１ｂの膜厚は特に限定されず、例えば、０．１μｍとすることができる。液晶層３０中の液晶は、ＴＦＴ基板２０に設けられた一対の透明電極である画素電極２５及び共通電極２６の間に電圧が印加されていない状態（電圧無印加時）では水平配向膜３１ａ及び３１ｂの規制力によって水平配向し、画素電極２５及び共通電極２６の間に電圧が印加された状態（電圧無印加時）では液晶層３０内に発生したフリンジ電界（横電界）に応じて面内方向に回転する。ポジ型液晶の場合、電圧無印加時における液晶の配向方位は、図３の上下方向に設定され、画素電極２５の直線状部分（スリット２５ａ）の延伸方向とのなす角は５°〜１５°に設定される。ネガ型液晶の場合、電圧無印加時における液晶の配向方位は、図３の左右方向に設定され、画素電極２５の直線状部分（スリット２５ａ）の延伸方向とのなす角は７５°〜８５°に設定される。
【００４３】
ＴＦＴ基板２０は、上述のように、一対の電極として画素電極２５及び共通電極２６を有し、液晶層３０内にフリンジ電界といった横電界を形成することができるものが用いられる。本実施形態における液晶駆動モードとしては、ＦＦＳモードの他、ＩＰＳ（Ｉｎ−Ｐｌａｎｅ−Ｓｗｉｔｃｈｉｎｇ）モード等の横電界モードであってもよい。ＩＰＳモードの場合、画素電極及び共通電極は、いずれも櫛歯電極であり、互いの櫛歯が隙間を空けて嵌合し合うように配置される。また、画素電極及び共通電極は、通常、同一の電極層、又は、層間絶縁膜を介して互いに隣接する電極層に設けられる。
【００４４】
直線偏光板５０は、例えば、ポリビニルアルコール（ＰＶＡ）フィルムにヨウ素錯体（又は染料）等の異方性材料を、染色及び吸着させてから延伸配向させた偏光子（吸収型偏光板）等を用いることができる。なお、通常は、機械強度や耐湿熱性を確保するために、ＰＶＡフィルムの両側にトリアセチルセルロース（ＴＡＣ）フィルム等の保護フィルムをラミネートして実用に供される。
【００４５】
液晶パネルの背面側には、バックライト８０が設けられている。バックライト８０が発した光は、液晶パネル内に設けられた液晶層３０への印加電圧によって、液晶パネルを透過する光量が制御される。バックライト８０の方式は特に限定されず、例えば、エッジライト方式、直下型方式等が挙げられる。バックライト８０の光源の種類は特に限定されず、例えば、発光ダイオード（ＬＥＤ）、冷陰極管（ＣＣＦＬ）等が挙げられる。
【００４６】
直線偏光板１１の透過軸の向き（方位）を０°とすると、アウトセル位相差板１２は、遅相軸の向きが−４０°〜−５０°（好ましくは−４２．５°〜−４７．５°）であり、インセル位相差板６０は、遅相軸の向きが＋４０°〜＋５０°（好ましくは＋４２．５°〜＋４７．５°）であり、液晶層３０は、遅相軸の向きが−５°〜＋５°（好ましくは−２．５°〜＋２．５°）であって位相差が２５０ｎｍ〜３５０ｎｍ（好ましくは２７０ｎｍ〜３２０ｎｍ）であり、直線偏光板５０の透過軸の向きが＋８５°〜＋９５°（好ましくは＋８７．５°〜＋９２．５°）である。なお、ここで、直線偏光板１１の透過軸の向き（方位）に対して、観察面側から見て、反時計回りを正の角度、時計回りを負の角度とする。
【００４７】
ＴＦＴ基板２０は、複数のソース配線２２に接続されたソースドライバ（図示せず）と、複数のゲート配線２３に接続されたゲートドライバ（図示せず）と、これらのドライバに接続されたコントローラ（図示せず）とを更に備えている。ゲートドライバは、コントローラによる制御に基づいて、ゲート配線２３に走査信号を順次供給する。ソースドライバは、コントローラによる制御に基づいて、ＴＦＴ２４が走査信号によって電圧印加状態となるタイミングで、ソース配線２２にデータ信号を供給する。画素電極２５は各々、対応するＴＦＴ２４を介して供給されるデータ信号に応じた電位に設定され、スリット２５ａが設けられた画素電極２５と、画素電極２５の下層に層間絶縁膜２７ｄを介して配置された面状の共通電極２６との間でフリンジ電界（横電界）が発生し、液晶層３０の液晶分子が回転する。このようにして画素電極２５と共通電極２６との間に印加する電圧の大きさを制御し、液晶層３０のリタデーションを変化させ、光の透過、不透過を制御する。
【００４８】
本実施形態では、インセル位相差板６０が、ブラックマトリックス４３及び液晶層３０の間の領域Ｘの外側に設けられている。すなわち、インセル位相差板６０は、ブラックマトリックス４３及び液晶層３０の間の領域に設けられていない。より詳細には、インセル位相差板６０が、ＴＦＴ基板２０に設けられ、インセル位相差板６０を有するＴＦＴ基板２０、液晶層３０、及び、ブラックマトリックス４３が観察面側からこの順に配置されている。そのため、ブラックマトリックス４３及び液晶層３０の間の距離が、インセル位相差板を備えていない通常ＬＣＤにおけるブラックマトリックス及び液晶層の間の距離に比べて大きくならないようにすることができる。したがって、インセル位相差板を設けた場合に悪化し得る視差混色の課題を原理的に改善することが可能となる。
【００４９】
また、円偏光板１０が液晶パネルの観察面側に設けられ、インセル位相差板６０が観察面側に配置されたＴＦＴ基板２０に設けられることから、円偏光板１０とインセル位相差板６０との間で生じる反射光、例えば、透明電極７０の表面で反射した光を円偏光板１０で吸収することが可能となる。したがって、外光反射を抑制でき、良好な屋外視認性を実現することができる。
【００５０】
また、ＴＦＴ基板２０を観察面側に配置した場合、ゲート配線２３やソース配線２２等の金属配線からの外光反射が課題となる。しかしながら、本実施形態では、金属配線を含む配線層であるゲート層及びソース層がインセル位相差板６０の観察面側に設けられることから、ゲート層及びソース層の各種の金属配線や金属電極の表面で反射した光を円偏光板１０で吸収することが可能である。これは、外光反射抑制の効果は、円偏光板１０とインセル位相差板６０との間にある層からの反射に対して得られるためである。
【００５１】
また、本実施形態では、画素電極２５及び共通電極２６が、インセル位相差板６０の背面側（液晶層３０）に設けられている。より詳細には、インセル位相差板６０が、共通電極２６の観察面側に設けられている。したがって、画素電極２５及び共通電極２６の電極対を液晶層３０付近に配置することが可能であり、通常ＬＣＤと同様に、これらの電極によって液晶を通常通り駆動することができる。
【００５２】
なお、画素電極２５及び共通電極２６の配置を互いに入れ替え、面状の画素電極２５の液晶層３０側に、層間絶縁膜２７ｄを介して、サブ画素毎に１又は複数のスリットが形成された共通電極２６を形成してもよい。この場合、インセル位相差板６０は、画素電極２５の観察面側に設けられることになるが、画素電極２５及び共通電極２６が、インセル位相差板６０の背面側（液晶層３０側）に設けられることには変わりはないため、上記配置の場合と同様に、これらの電極によって液晶を通常通り駆動することができる。
【００５３】
このように、本実施形態における液晶駆動モードがＦＦＳモードである場合、画素電極２５及び共通電極２６によって液晶を通常通り駆動する観点からは、観察面側から、インセル位相差板６０、画素電極２５及び共通電極２６の一方の電極（下層電極）、層間絶縁膜２７ｄ、画素電極２５及び共通電極２６の他方の電極（上層電極）、水平配向膜３１ａ、及び、液晶層３０がこの順に配置されることが好ましい。
【００５４】
また、本実施形態における液晶駆動モードがＩＰＳモードである場合も、画素電極及び共通電極を、インセル位相差板６０の背面側（液晶層３０側）に設けることによって、同様に、これらの電極によって液晶を通常通り駆動することができる。
【００５５】
（実施例１）
実施形態１の構成において、ＬＣＤ  Ｍａｓｔｅｒを用いて、青色、緑色、赤色の単色をそれぞれ表示した時の正面及び斜め（極角度６０°かつ方位角度０°及び１８０°）からパネルを観察した際の色度（ｕ’，ｖ’）の計算を行った。図７は、計算に用いた実施例１の液晶表示装置の構成を示す断面図である。計算には図７に示した２次元のモデルを用いた。
【００５６】
なお、各実施例及び各比較例において、方位角０°及び方位角１８０°とは、それぞれ、計算に用いた断面構成を示す図において、紙面右方向及び紙面左方向からパネルを観察する方向と定義する。
【００５７】
インセル位相差板６０の厚さは、１．０μｍ、２．０μｍ又は３．０μｍとし、層間絶縁膜２７ｄの厚さは、０．２μｍとし、画素電極２５のＬ（ライン）／Ｓ（スペース）は、２．２μｍ／３．２μｍとし、液晶層３０の厚さは、３．０μｍとし、オーバーコート層４４の厚さは、１．０μｍとし、赤色カラーフィルタ４２Ｒ、緑色カラーフィルタ４２Ｇ及び青色カラーフィルタ４２Ｂの幅は、いずれも２１．２μｍとし、赤色カラーフィルタ４２Ｒ、緑色カラーフィルタ４２Ｇ及び青色カラーフィルタ４２Ｂの厚さは、いずれも２．５μｍとし、ブラックマトリックス４３の幅は、６．６μｍとした。
【００５８】
計算結果は、図８〜１０のようになった。図８〜１０は、実施例１において、青色、緑色、赤色の単色をそれぞれ表示した時の正面及び斜めからパネルを観察した際の色度（ｕ’，ｖ’）を計算した結果を示すグラフであり、図８、９及び１０は、それぞれ、インセル位相差板６０の厚さが３．０μｍ、２．０μｍ及び１．０μｍの場合を示す。また、色のシフト量であるΔｕ’ｖ’（正面から見た時の色度点と斜めから見た時の色度点との間の距離）を算出した結果を下記表１及び２に示す。インセル位相差板６０の厚さが大きくなってもΔｕ’ｖ’は変化しない結果となった。また、後述する円偏光板及びインセル位相差版を有さない通常ＬＣＤに係る比較例１の結果と比較しても、Δｕ’ｖ’は同等であり、本実施形態は、低反射ＬＣＤでありながら、通常ＬＣＤと同等の視差混色レベル、すなわち、許容範囲内であることを示している。
【００５９】
【表１】
2020085931.tif 000003
【００６０】
【表２】
2020085931.tif 000004
【００６１】
一般的に、液晶表示装置を斜めから観察した場合には、ある一定以上の角度からの観察において、視差混色が生じる。斜めから見た場合、液晶が駆動している領域を通過した光線が本来通過すべきカラーフィルタを通過せずに、隣接する他の色のカラーフィルタを通過してしまうことで生じる現象である。
【００６２】
図７に示した破線矢印は、最も浅い角度で混色が生じる光線を示している。具体的には、この光線は○で示した２点（ブラックマトリックス４３の端と、駆動している液晶層３０の領域の角）を結ぶ直線である。混色が生じる最小の角度をθｍｉｎとすると、本実施形態におけるθｍｉｎは次のような式で表され、後述する通常ＬＣＤに係る比較例１の際の式と同じ式であり、本実施形態は原理的に比較例１と同等の視差混色レベルになることを示している。
θｍｉｎ＝ｔａｎ−１｛（ブラックマトリックスの幅／２）／（カラーフィルタの厚さ＋オーバーコート層の厚さ）｝
【００６３】
＜実施形態２＞
本実施形態では、本実施形態に特有の特徴について主に説明し、実施形態１と重複する内容については説明を省略する。なお、本明細書中、同一又は同様の機能を有する部材には同一の符号を付しており、これらの部材に関する重複する説明は省略する。
【００６４】
図１１は、実施形態２の液晶表示装置の構成を示す断面模式図である。図１２は、実施形態２の液晶表示装置のＴＦＴ基板を示す断面模式図であり、ＴＦＴ部分を示す。図１１は、図３中のＸ１−Ｘ２線における断面に相当し、図１２は、図３中のＹ１−Ｙ２線における断面に相当する。本実施形態の液晶表示装置は、円偏光板を有するＦＦＳモードの液晶表示装置（低反射ＬＣＤ）であり、図１１に示したように、観察面側から順に、円偏光板１０、カラーフィルタ基板４０、液晶層３０、ＴＦＴ基板２０及び直線偏光板５０を備える。このように、本実施形態の液晶表示装置は、一般的な液晶表示装置と同様に、観察面側から、カラーフィルタ基板４０、液晶層３０及びＴＦＴ基板２０がこの順に配置された構造を有している。帯電防止用の透明電極７０は、ＴＦＴ基板２０ではなくカラーフィルタ基板４０の観察面側の面上に設けられている。
【００６５】
また、本実施形態では、インセル位相差板６０がＴＦＴ基板２０ではなくカラーフィルタ基板４０に設けられている。インセル位相差板６０は、カラーフィルタ基板４０の支持基板４１上に設けられ、カラーフィルタ層４２及びブラックマトリックス４３は、インセル位相差板６０上に設けられている。
【００６６】
図１１及び１２に示したように、本実施形態のＴＦＴ基板２０は、インセル位相差板６０を備えないことを除いて、図３及び４に示した実施形態１のＴＦＴ基板２０と実質的に同じ構造を有している。本実施形態のＴＦＴ基板２０は、インセル位相差板６０を備えないことを除いて、図５及び６に示した実施形態１の別のＴＦＴ基板２０と実質的に同じ構造を有していてもよい。
【００６７】
本実施形態でも、実施形態１と同様に、インセル位相差板６０が、ブラックマトリックス４３及び液晶層３０の間の領域Ｘの外側に設けられている。すなわち、インセル位相差板６０は、ブラックマトリックス４３及び液晶層３０の間の領域に設けられていない。より詳細には、インセル位相差板６０が、カラーフィルタ基板４０に設けられ、インセル位相差板６０、ブラックマトリックス４３、液晶層３０、及び、ＴＦＴ基板２０が観察面側からこの順に配置されている。そのため、ブラックマトリックス４３及び液晶層３０の間の距離が、インセル位相差板を備えていない通常ＬＣＤにおけるブラックマトリックス及び液晶層の間の距離に比べて大きくならないようにすることができる。したがって、インセル位相差板を設けた場合に悪化し得る視差混色の課題を原理的に改善することが可能となる。
【００６８】
また、円偏光板１０が液晶パネルの観察面側に設けられ、インセル位相差板６０が観察面側に配置されたカラーフィルタ基板４０に設けられることから、円偏光板１０とインセル位相差板６０との間で生じる反射光、例えば、透明電極７０の表面で反射した光を円偏光板１０で吸収することが可能となる。したがって、外光反射を抑制でき、良好な屋外視認性を実現することができる。
【００６９】
（実施例２）
実施例１と同様に、実施形態２の構成において、ＬＣＤ  Ｍａｓｔｅｒを用いて、青色、緑色、赤色の単色をそれぞれ表示した時の正面及び斜め（極角度６０°かつ方位角度０°及び１８０°）からパネルを観察した際の色度（ｕ’，ｖ’）の計算を行った。図１３は、計算に用いた実施例２の液晶表示装置の構成を示す断面図である。計算には図１３に示した２次元のモデルを用いた。
【００７０】
各部材の厚さ等は、実施例１と同じである。すなわち、インセル位相差板６０の厚さは、１．０μｍ、２．０μｍ又は３．０μｍとし、層間絶縁膜２７ｄの厚さは、０．２μｍとし、画素電極２５のＬ（ライン）／Ｓ（スペース）は、２．２μｍ／３．２μｍとし、液晶層３０の厚さは、３．０μｍとし、オーバーコート層４４の厚さは、１．０μｍとし、赤色カラーフィルタ４２Ｒ、緑色カラーフィルタ４２Ｇ及び青色カラーフィルタ４２Ｂの幅は、いずれも２１．２μｍとし、赤色カラーフィルタ４２Ｒ、緑色カラーフィルタ４２Ｇ及び青色カラーフィルタ４２Ｂの厚さは、いずれも２．５μｍとし、ブラックマトリックス４３の幅は、６．６μｍとした。また、層間絶縁膜２７ｃの厚さは、２．０μｍとした。
【００７１】
計算結果は、図１４〜１６のようになった。図１４〜１６は、実施例２において、青色、緑色、赤色の単色をそれぞれ表示した時の正面及び斜めからパネルを観察した際の色度（ｕ’，ｖ’）を計算した結果を示すグラフであり、図１４、１５及び１６は、それぞれ、インセル位相差板６０の厚さが３．０μｍ、２．０μｍ及び１．０μｍの場合を示す。また、色のシフト量であるΔｕ’ｖ’を算出した結果を下記表３及び４に示す。インセル位相差板６０の厚さが大きくなってもΔｕ’ｖ’は変化しない結果となった。また、後述する比較例１の結果と比較しても、Δｕ’ｖ’は同等であり、本実施形態は、低反射ＬＣＤでありながら、通常ＬＣＤと同等の視差混色レベル、すなわち、許容範囲内であることを示している。
【００７２】
【表３】
2020085931.tif 000005
【００７３】
【表４】
2020085931.tif 000006
【００７４】
図１３に示したように、本実施形態におけるθｍｉｎは次のような式で表され、後述する比較例１の際の式と同じ式であり、本実施形態は原理的に比較例１と同等の視差混色レベルになることを示している。
θｍｉｎ＝ｔａｎ−１｛（ブラックマトリックスの幅／２）／（カラーフィルタの厚さ＋オーバーコート層の厚さ）｝
【００７５】
＜比較形態１＞
本比較形態では、本比較形態に特有の特徴について主に説明し、実施形態１及び２と重複する内容については説明を省略する。
【００７６】
図１７は、比較形態１の液晶表示装置の構成を示す断面模式図である。図１７は、図３中のＸ１−Ｘ２線における断面に相当する。本比較形態の液晶表示装置は、円偏光板及びインセル位相差板を有さない通常のＦＦＳモードの液晶表示装置（通常ＬＣＤ）であり、図１７に示したように、アウトセル位相差板１２及びインセル位相差板６０を備えないことを除いて、実施形態２の液晶表示装置と実質的に同じである。
【００７７】
（比較例１）
実施例１と同様に、比較形態１の構成において、ＬＣＤ  Ｍａｓｔｅｒを用いて、青色、緑色、赤色の単色をそれぞれ表示した時の正面及び斜め（極角度６０°かつ方位角度０°及び１８０°）からパネルを観察した際の色度（ｕ’，ｖ’）の計算を行った。図１８は、計算に用いた比較例１の液晶表示装置の構成を示す断面図である。計算には図１８に示した２次元のモデルを用いた。
【００７８】
各部材の厚さ等は、実施例１と同じである。すなわち、層間絶縁膜２７ｄの厚さは、０．２μｍとし、画素電極２５のＬ（ライン）／Ｓ（スペース）は、２．２μｍ／３．２μｍとし、液晶層３０の厚さは、３．０μｍとし、オーバーコート層４４の厚さは、１．０μｍとし、赤色カラーフィルタ４２Ｒ、緑色カラーフィルタ４２Ｇ及び青色カラーフィルタ４２Ｂの幅は、いずれも２１．２μｍとし、赤色カラーフィルタ４２Ｒ、緑色カラーフィルタ４２Ｇ及び青色カラーフィルタ４２Ｂの厚さは、いずれも２．５μｍとし、ブラックマトリックス４３の幅は、６．６μｍとした。また、層間絶縁膜２７ｃの厚さは、２．０μｍとした。
【００７９】
計算結果は、図１９のようになった。図１９は、比較例１において、青色、緑色、赤色の単色をそれぞれ表示した時の正面及び斜めからパネルを観察した際の色度（ｕ’，ｖ’）を計算した結果を示すグラフである。また、色のシフト量であるΔｕ’ｖ’を算出した結果を下記表５及び６に示す。本結果を視差混色の許容レベルとし、上述の実施例１、２や後述する比較例２と比較する。
【００８０】
【表５】
2020085931.tif 000007
【００８１】
【表６】
2020085931.tif 000008
【００８２】
図１８に示したように、本比較形態におけるθｍｉｎは次のような式で表され、通常ＬＣＤの場合は、ブラックマトリックスの幅と、カラーフィルタの厚さと、オーバーコート層の厚さで決まる。
θｍｉｎ＝ｔａｎ−１｛（ブラックマトリックスの幅／２）／（カラーフィルタの厚さ＋オーバーコート層の厚さ）｝
【００８３】
＜比較形態２＞
本比較形態では、本比較形態に特有の特徴について主に説明し、実施形態１及び２と重複する内容については説明を省略する。
【００８４】
図２０は、比較形態２の液晶表示装置の構成を示す断面模式図である。図２０は、図３中のＸ１−Ｘ２線における断面に相当する。本比較形態の液晶表示装置は、円偏光板を有するＦＦＳモードの液晶表示装置（低反射ＬＣＤ）であり、図２０に示したように、インセル位相差板６０が、ブラックマトリックス４３及び液晶層３０の間の領域Ｘの内側に、より詳細には、オーバーコート層４４の液晶層３０側に配置されたことを除いて、実施形態２の液晶表示装置と実質的に同じである。
【００８５】
（比較例２）
実施例１と同様に、比較形態２の構成において、ＬＣＤ  Ｍａｓｔｅｒを用いて、青色、緑色、赤色の単色をそれぞれ表示した時の正面及び斜め（極角度６０°かつ方位角度０°及び１８０°）からパネルを観察した際の色度（ｕ’，ｖ’）の計算を行った。図２１は、計算に用いた比較例２の液晶表示装置の構成を示す断面図である。計算には図２１に示した２次元のモデルを用いた。
【００８６】
各部材の厚さ等は、実施例１と同じである。すなわち、インセル位相差板６０の厚さは、１．０μｍ、２．０μｍ又は３．０μｍとし、層間絶縁膜２７ｄの厚さは、０．２μｍとし、画素電極２５のＬ（ライン）／Ｓ（スペース）は、２．２μｍ／３．２μｍとし、液晶層３０の厚さは、３．０μｍとし、オーバーコート層４４の厚さは、１．０μｍとし、赤色カラーフィルタ４２Ｒ、緑色カラーフィルタ４２Ｇ及び青色カラーフィルタ４２Ｂの幅は、いずれも２１．２μｍとし、赤色カラーフィルタ４２Ｒ、緑色カラーフィルタ４２Ｇ及び青色カラーフィルタ４２Ｂの厚さは、いずれも２．５μｍとし、ブラックマトリックス４３の幅は、６．６μｍとした。また、層間絶縁膜２７ｃの厚さは、２．０μｍとした。
【００８７】
計算結果は、図２２〜２４のようになった。図２２〜２４は、比較例２において、青色、緑色、赤色の単色をそれぞれ表示した時の正面及び斜めからパネルを観察した際の色度（ｕ’，ｖ’）を計算した結果を示すグラフであり、図２２、２３及び２４は、それぞれ、インセル位相差板６０の厚さが３．０μｍ、２．０μｍ及び１．０μｍの場合を示す。また、色のシフト量であるΔｕ’ｖ’を算出した結果を下記表７及び８に示す。インセル位相差板６０の厚さが大きいほどΔｕ’ｖ’は大きくなり、これは視差混色が悪化することを示している。また、比較例１の結果と比較して、いずれもΔｕ’ｖ’が大きく、比較形態２の低反射ＬＣＤが通常ＬＣＤに対して、視差混色が大きいことを示している。
【００８８】
【表７】
2020085931.tif 000009
【００８９】
【表８】
2020085931.tif 000010
【００９０】
図２１に示したように、本比較形態におけるθｍｉｎは次のような式で表され、比較例１の際の式と比較すると、インセル位相差板６０の厚さ分、混色が生じる角度が小さくなることを示している（正面に近い角度でも混色が生じることを示している）。
θｍｉｎ＝ｔａｎ−１｛（ブラックマトリックスの幅／２）／（カラーフィルタの厚さ＋オーバーコート層の厚さ＋インセル位相差板の厚さ）｝
【符号の説明】
【００９１】
１０：円偏光板
１１：直線偏光板
１２：λ／４位相差板（アウトセル位相差板）
２０：ＴＦＴ（薄膜トランジスタ）基板
２１：支持基板
２２：ソース配線
２３：ゲート配線
２４：ＴＦＴ
２４ａ：ゲート電極
２４ｂ：ソース電極
２４ｃ：ドレイン電極
２４ｄ：薄膜半導体
２５：画素電極
２５ａ：スリット
２６：共通電極
２７：コンタクトホール
２７ａ：層間絶縁膜（ゲート絶縁膜）
２７ｂ：層間絶縁膜
２７ｃ：層間絶縁膜
２７ｄ：層間絶縁膜
３０：液晶層（水平配向液晶層）
３１ａ、３１ｂ：水平配向膜
４０：カラーフィルタ基板
４１：支持基板
４２：カラーフィルタ層
４２Ｒ：赤色カラーフィルタ
４２Ｇ：緑色カラーフィルタ
４２Ｂ：青色カラーフィルタ
４３：ブラックマトリックス
４４：オーバーコート層
５０：直線偏光板
６０：λ／４位相差板（インセル位相差板）
７０：透明電極
８０：バックライト
【図１】
2020085931.tif 000011
【図２】
2020085931.tif 000012
【図３】
2020085931.tif 000013
【図４】
2020085931.tif 000014
【図５】
2020085931.tif 000015
【図６】
2020085931.tif 000016
【図７】
2020085931.tif 000017
【図８】
2020085931.tif 000018
【図９】
2020085931.tif 000019
【図１０】
2020085931.tif 000020
【図１１】
2020085931.tif 000021
【図１２】
2020085931.tif 000022
【図１３】
2020085931.tif 000023
【図１４】
2020085931.tif 000024
【図１５】
2020085931.tif 000025
【図１６】
2020085931.tif 000026
【図１７】
2020085931.tif 000027
【図１８】
2020085931.tif 000028
【図１９】
2020085931.tif 000029
【図２０】
2020085931.tif 000030
【図２１】
2020085931.tif 000031
【図２２】
2020085931.tif 000032
【図２３】
2020085931.tif 000033
【図２４】
2020085931.tif 000034
【図２５】
2020085931.tif 000035